(57)【特許請求の範囲】
【請求項１】
無線通信システムにおけるパワーヘッドルームレポートのための方法であって、ユーザー装置(ＵＥ)は、第一基地局（ｅＮＢ）により制御される第一セルに在圏し、当該方法は、
第二ｅＮＢにより制御される第二セルを前記ＵＥに加えるための無線リソース制御(ＲＲＣ)メッセージを、前記ＵＥにより受信する工程;
前記ＵＥにより、第一パワーヘッドルームレポート(ＰＨＲ)を前記第一ｅＮＢに送信する工程;および
前記ＵＥにより、第二ＰＨＲを前記第二ｅＮＢに送信する工程；
を含み、前記第一ＰＨＲ及び前記第二ＰＨＲの両方が、前記第一セル及び前記第二セルの両方のパワーヘッドルーム値を含み、当該方法は、
前記第二ＰＨＲの前記第二ｅＮＢへの最後の送信の後に、前記第二セルの要求される電力バックオフ変化が第二閾値を超過する場合、前記第一ＰＨＲの前記第一ｅＮＢへの送信を前記ＵＥによりトリガーする工程；および
前記第一ＰＨＲの前記第一ｅＮＢへの最後に送信の後に、前記第一セルの要求される電力バックオフ変化が第一閾値を超過する場合、前記第二ＰＨＲの前記第二ｅＮＢへの送信を前記ＵＥによりトリガーする工程；
を更に含むことを特徴とする方法。
【請求項２】
さらに、
前記第二ＰＨＲの前記第二ｅＮＢへの最後の送信の後に、前記第二セルのパスロス変化が第二閾値を超過する場合、前記第一ＰＨＲの前記第一ｅＮＢへの送信を前記ＵＥによりトリガーする工程;および
前記第一ＰＨＲの前記第一ｅＮＢへの最後の送信の後に、前記第一セルのパスロス変化が第一閾値を超過する場合、前記第二ＰＨＲの前記第二ｅＮＢへの送信を前記ＵＥによりトリガーする工程、
を含むことを特徴とする請求項１に記載の方法。
【請求項３】
さらに、
設定されたアップリンクに関して第三サービングセルが前記ＵＥでアクティブにされる場合、前記第一ＰＨＲの前記第一ｅＮＢへの送信及び前記第二ＰＨＲの第二ｅＮＢへの送信を前記ＵＥによりトリガーする工程、
を更に含むことを特徴とする請求項１又は２に記載の方法。
【請求項４】
さらに、
前記第一ｅＮＢに関連するＰＨＲ設定が設定または再設定される場合に、前記第一ＰＨＲの前記第一ｅＮＢへの送信を前記ＵＥによりトリガーする工程;および
前記第二ｅＮＢに関連するＰＨＲ設定が設定または再設定される場合に、前記第二ＰＨＲの前記第二ｅＮＢへの送信を前記ＵＥによりトリガーする工程、
を更に含み、各ｅＮＢにつき一つのＰＨＲの設定が存在する、ことを特徴とする請求項１〜３のうちの何れか１項に記載の方法。
【請求項５】
さらに、
前記第一ｅＮＢに関連するperiodicPHR-Timerが満了した場合に、前記第一ＰＨＲの前記第一ｅＮＢへの送信を前記ＵＥによりトリガーする工程;および
前記第二ｅＮＢに関連するperiodicPHR-Timerが満了した場合に、前記第二ＰＨＲの前記第二ｅＮＢへの送信を前記ＵＥによりトリガーする工程；
を更に含むことを特徴とする請求項１〜４のうち何れか１項に記載の方法。
【請求項６】
前記第二セルは、物理アップリンク共有チャネル(ＰＵＳＣＨ)により割り当てられることを特徴とする請求項１〜５のうち何れか１項に記載の方法。
【請求項７】
前記第二セルがアクティブにされることを特徴とする請求項１〜６のうち何れか１項に記載の方法。
【請求項８】
前記第二セルが非アクティブ化される場合、前記ＵＥはＰＵＳＣＨによる送信を行わないことを特徴とする請求項６に記載の方法。
【請求項９】
前記第一セルはプライマリーサービングセル(PCell)であり、前記第二セルはセカンダリーサービングセル(SCell)であることを特徴とする請求項１〜８のうち何れか１項に記載の方法。
【請求項１０】
無線通信システムにおいてパワーヘッドルームレポート(ＰＨＲ)を受信する方法であって、ユーザー装置(ＵＥ)は、第一基地局（ｅＮＢ）により制御される第一セルに在圏し、当該方法は、
第二ｅＮＢにより制御される第二セルを前記ＵＥに加えるための無線リソース制御(ＲＲＣ)メッセージを、前記第一ｅＮＢにより送信する工程;
前記第一ｅＮＢにより、第一パワーヘッドルームレポート(ＰＨＲ)を前記ＵＥから受信する工程;および
前記第二ｅＮＢにより、第二パワーヘッドルームレポート(ＰＨＲ)を前記ＵＥから受信する工程；
を含み、前記第一ＰＨＲ及び前記第二ＰＨＲの両方が、前記第一セル及び前記第二セルの両方のパワーヘッドルーム値を含み、当該方法は、
前記ＵＥが前記第二ＰＨＲを前記第二ｅＮＢへ最後に送信した後に、前記第二セルの要求される電力バックオフ変化が第二閾値を超過する場合、前記第一ｅＮＢにより、前記第一ＰＨＲを前記ＵＥから受信する工程；および
前記ＵＥが前記第一ＰＨＲを前記第一ｅＮＢへ最後に送信した後に、前記第一セルの要求される電力バックオフ変化が第一閾値を超過する場合、前記第二ｅＮＢにより、前記第二ＰＨＲを前記ＵＥから受信する工程；
を更に含むことを特徴とする方法。
【請求項１１】
前記第二セルは、物理アップリンク共有チャネル(ＰＵＳＣＨ)により割り当てられることを特徴とする請求項１０に記載の方法。
【請求項１２】
前記第二セルがアクティブにされることを特徴とする請求項１０又は１１に記載の方法。
【請求項１３】
前記第一セルはプライマリーサービングセル(PCell)であり、前記第二セルはセカンダリーサービングセル(SCell)であることを特徴とする請求項１０〜１２のうち何れか１項に記載の方法。
【請求項１４】
無線通信システムにおけるパワーヘッドルームレポートを処理するための通信装置であって、
制御回路;
前記制御回路に組み込まれるプロセッサ;
前記制御回路に組み込まれ、前記プロセッサに動作可能に結合されるメモリ;
を含み、前記プロセッサは、メモリに保存されるプログラムコードを実行し、前記通信装置を第一基地局（ｅＮＢ）により制御される第一セルに接続し、請求項１〜９のうちの何れか１項に記載の方法を実行することにより、無線通信システムにおいてパワーヘッドルームレポートを処理するように構成される、
ことを特徴とするユーザー装置（ＵＥ）である通信装置。
【請求項１５】
無線通信システムにおけるパワーヘッドルームレポートを受信する通信装置であって、
制御回路;
前記制御回路に組み込まれるプロセッサ;
前記制御回路に組み込まれ、前記プロセッサに動作可能に結合されるメモリ(310);
を含み、前記プロセッサは、メモリに保存されるプログラムコードを実行し、第一基地局（ｅＮＢ）により制御される第一セルにユーザー装置(ＵＥ)を接続し、請求項１０〜１３のうち何れか１項に記載の方法を実行することにより、無線通信システムにおいてパワーヘッドルームレポートを処理するように構成される、
ことを特徴とする前記第一ｅＮＢである通信装置。
【発明の詳細な説明】
【技術分野】
【０００１】
本発明は、無線通信ネットワークに関するものであって、特に、無線通信システムにおけるスモールセル増強のための方法及び装置等に関するものである。
【背景技術】
【０００２】
移動通信装置上で、大量のデータを伝送する要求が迅速に増加するのに伴い、従来のモバイルボイス通信ネットワークは、インターネットプロトコル (ＩＰ) データパケットと通信するネットワークに進化している。このようなＩＰデータパケット通信は、移動通信装置のユーザーのボイスオーバーＩＰ、マルチメディア、マルチキャストとオンデマンド通信サービスを提供することができる。
【０００３】
進化型地上無線アクセスネットワーク (Ｅ-ＵＴＲＡＮ)は、標準化されているネットワーク構造である。Ｅ-ＵＴＲＡＮシステムは、高データスループットを提供し、上記のボイスオーバーＩＰとマルチメディアサービスを実現することができる。Ｅ-ＵＴＲＡＮシステムの標準化は、３ＧＰＰ標準化組織により実行される。したがって、３ＧＰＰスタンダードを進化させ、まとめるため、現在、３ＧＰＰスタンダードの現在の規格への変化が提案、および、考慮される。
【発明の概要】
【発明が解決しようとする課題】
【０００４】
本発明は、無線通信システムにおけるスモールセル増強の方法と装置を提供することを目的とする。
【課題を解決するための手段】
【０００５】
無線通信システムにおけるスモールセル増強のための方法及び/又は装置が開示され、特許請求の範囲で規定されている。従属請求項は好ましい態様に関連する場合がある。第一態様による方法は、第一セルにより供されるユーザー装置 (ＵＥ)を含み、第一セルは第一進化型ＮｏｄｅＢ (ｅＮＢ)により制御される。本方法は、さらに、ＵＥにより、無線リソース制御 (ＲＲＣ)メッセージを受信して、第二ｅＮＢにより制御される第二セルをＵＥに加える工程を含む。本方法は、また、ＵＥにより、第一パワーヘッドルームレポート (ＰＨＲ)を第一ｅＮＢに、第二ＰＨＲを第二ｅＮＢに伝送する工程を含み、第一ＰＨＲと第二ＰＨＲ両方は、第一セルと第二セル両方のパワーヘッドルーム値を含む。
【図面の簡単な説明】
【０００６】
【図１】一態様による無線通信システムを示す図である。
【図２】一態様によるトランスミッタシステム (アクセスネットワークとしても知られる)とレシーバシステム (ユーザー装置、または、ＵＥとしても知られる)を示す図である。
【図３】一態様による通信システムの機能ブロック図である。
【図４】一態様による図３のプログラムコードの機能ブロック図である。
【図５】一態様によるブロック図である。
【発明を実施するための形態】
【０００７】
本発明の以下で開示される無線通信システムと装置は、ブロードキャストサービスをサポートする無線通信システムを使用する。無線通信システムは、幅広く応用されて、各種通信、たとえば、音声、データ等を提供する。これらのシステムは、符号分割多重アクセス方式 (ＣＤＭＡ)、時分割多重アクセス (ＴＤＭＡ)、直交周波数分割多元接続 (ＯＦＤＭＡ)、3GPP  LTE  (Long  Term  Evolution)無線アクセス、3GPP  LTE-AやLTE-Advanced  (Long  Term  Evolution  Advanced)、3GPP2  UMB  (Ultra  Mobile  Broadband)、WiMax、または、その他の変調技術に基づく。
【０００８】
特に、以下で説明される実施態様の無線通信システム、素子、および、相関方法は、ひとつ以上の基準をサポートするように設計され、たとえば、３ＧＰＰとして示される "3rd  Generation  Partnership  Project"と称される協会により提供される標準は、TS  36.331  V11.3.0、“Ｅ-ＵＴＲＡ  ＲＲＣプロトコル仕様”;文献番号TS  36.321  V11.2.0,“Ｅ-ＵＴＲＡ  ＭＡＣプロトコル仕様”;RP-122033、“Ｅ-ＵＴＲＡとＥ−ＵＴＲＡＮに適用するスモールセル増強の研究−高層方面”;を含む。「層」は「レイヤ」等と言及されてもよい。上述の標準と文献は本開示に組み込まれる。
【０００９】
図１は、本発明の一態様による多重アクセス無線通信システムを示す図である。アクセスネットワーク１００(ＡＮ)は複数のアンテナを備え、一群はアンテナ１０４と１０６を含み、もう一群はアンテナ１０８と１１０、さらにもう一群はアンテナ１１２と１１４を含む。図１において、各アンテナ群は二個のアンテナだけが示されているが、実際は、各アンテナ群のアンテナ数量はいくつでも良い。アクセスターミナル１１６(ＡＴ)とアンテナ１１２と１１４は通信し、アンテナ１１２と１１４は、送信リンク１２０により、アクセスターミナル１１６に情報を送信し、および、逆方向リンク１１８により、アクセスターミナル１１６から情報を受信する。アクセスターミナル(ＡＴ)１２２とアンテナ１０６と１０８は通信し、アンテナ１０６と１０８は、送信リンク１２６により、アクセスターミナル(ＡＴ)１２２に情報を送信し、および、逆方向リンク１２４により、アクセスターミナル(ＡＴ)１２２から情報を受信する。ＦＤＤシステムにおいて、通信リンク１１８、１２０、１２４、１２６は、通信に対し異なる周波数を用いる。例えば、送信リンク１２０は、逆方向リンク１１８と異なる周波数を用いる。
【００１０】
アンテナの各群、および／または、通信するように設計される領域はアクセスネットワークのセクター(sector)と称される。この態様において、アンテナ群は、それぞれ、アクセスネットワーク１００により被覆される領域のセクター内のアクセスターミナルと通信するように設計される。
【００１１】
送信リンク１２０と１２６により通信するとき、アクセスネットワーク１００の送信アンテナは、ビーム形成を利用して、異なるアクセスターミナル１１６と１２２の送信リンク信号対雑音比を改善する。また、単一アンテナにより、すべてのアクセスターミナルと送信を実行するアクセスネットワークと比較すると、ビーム形成技術を利用して、その被覆範囲中でランダムに散乱するアクセスターミナルに送信を実行するアクセスネットワークは、隣接セル中のアクセスターミナルに対する干渉を減少させることができる。
【００１２】
アクセスネットワーク(ＡＮ)は、端末との通信に用いられる固定局、または、基地局で、アクセスポイント、ノードB(Node  B)、基地局、強化型基地局、eNodeB(eNB)、または、その他の用語とも称される。アクセス端末(ＡＴ)は、また、ユーザー装置(ＵＥ)、無線通信装置、端末、アクセス端末、または、その他の用語とも称される。
【００１３】
図２は、ＭＩＭＯシステム２００におけるトランスミッタシステム２１０(アクセスネットワークとしても知られる)、および、レシーバシステム２５０(アクセス端末 (ＡＴ)、または、ユーザー装置(ＵＥ)としても知られる)の簡潔なブロック図である。トランスミッタシステム２１０で、データソース２１２は、各種データストリームのトラフィックデータを送信(ＴＸ)データプロセッサ２１４に提供する。
【００１４】
一態様において、各データストリームは、個別の送信アンテナにより送信される。ＴＸデータプロセッサ２１４は、そのデータストリームに対して選択される特定のコード体系に基づいて、各データストリームのトラフィックデータを、フォーマット、符号化、および、インターリーブして、符号化データを提供する。
【００１５】
各データストリームの符号化データは、ＯＦＤＭ技術を用いて、パイロットデータと多重化される。パイロットデータは、通常、既知の方式で処理されるデータパターンで、レシーバシステムで用いられて、チャネル応答を推定する。その後、各データストリーム多重化されたパイロットと符号化データは、そのデータストリームに選択される特定の変調スキーム(たとえば、BPSK、QPSK、M-PSK、または、M-QAM)に基づいて、変調され(すなわち、符号マップ)、変調符号を提供する。各データストリームのデータレート、符号化、および、変調は、プロセッサ２３０により実行される命令により決定される。
【００１６】
その後、全データストリームの変調符号がＴＸ  ＭＩＭＯプロセッサ２２０に提供され、ＴＸ  ＭＩＭＯプロセッサ２２０は、さらに、変調符号(たとえば、ＯＦＤＭに用いる)を処理する。その後、ＴＸ  ＭＩＭＯプロセッサ２２０は、NT 変調符号ストリームを、NT トランスミッタ(ＴＭＴＲ)２２２a〜２２２tに送信する。ある実施態様において、ＴＸ  ＭＩＭＯプロセッサ２２０は、ビーム形成ウェイトをデータストリームの符号に加えると共に、アンテナに送信されて、送信を実行する。
【００１７】
各トランスミッタ２２２は、個々の符号ストリームを受信、および、処理すると共に、ひとつ以上のアナログ信号を提供し、さらに、アナログ信号を処理(たとえば、増幅、ろ過、および、アップコンバート)して、ＭＩＭＯチャネルにより送信するのに適する変調した信号を提供する。トランスミッタ２２２a〜２２２tからのNT変調信号は、その後、それぞれ、NTアンテナ２２４a〜２２４tから送信される。
【００１８】
レシーバシステム２５０中、送信された変調信号はNRアンテナ２５２a〜２５２rにより受信され、且つ、各アンテナ２５２から受信された信号が、それぞれのレシーバ(RCVR)２５４a〜２５４rに提供される。各レシーバ２５４は、個々の受信信号を調整(たとえば、ろ過、増幅、および、ダウンコンバート)し、調整済み信号をデジタル化し、サンプルを提供し、さらに、サンプルを処理して、対応する“受信済み”符号ストリームを提供する。
【００１９】
その後、ＲＸデータプロセッサ２６０は、特定のレシーバ処理技術に基づいて、NRレシーバ２５４からNR 受信符号ストリームを受信、および、処理し、NT“検出済み”符号ストリームを提供する。その後、ＲＸデータプロセッサ２６０は、各検出された符号ストリームを復調、デインタリーブ、および、復号して、データストリームのトラフィックデータをリカバーする。ＲＸデータプロセッサ２６０による処理は、トランスミッタシステム２１０中のＴＸ  ＭＩＭＯプロセッサ２２０とＴＸデータプロセッサ２１４により実行される処理に補完的である。
【００２０】
プロセッサ２７０は、周期的に、どのプレコーディングマトリクスを使用するか決定する(以下で討論する)。プロセッサ２７０は、マトリクスインデックス部分とランク値部分を備える逆方向リンクメッセージを定める。
【００２１】
逆方向リンクメッセージは、通信リンク、および／または、受信したデータストリームに関連する各種情報を含む、その後、逆方向リンクメッセージはＴＸデータプロセッサ２３８により処理され、ＴＸデータプロセッサ２３８は、データソース２３６から、複数のデータストリームのトラフィックデータを受信し、変調器２８０により変調され、トランスミッタ２５４a〜２５４rにより調整され、トランスミッタシステム２１０に送り返される。
【００２２】
トランスミッタシステム２１０中、レシーバシステム２５０からの変調信号は、アンテナ２２４により受信され、レシーバ２２２により調整され、復調器２４０により復調され、ＲＸデータプロセッサ２４２により処理されて、レシーバシステム２５０により送信される逆方向メッセージを抽出する。その後、プロセッサ２３０は、どのプレコーディングマトリクスを用いるかを決定して、ビーム形成ウェイトを決定し、抽出されたメッセージを処理する。
【００２３】
図３は、本発明の実施態様による通信装置の別の簡潔な機能ブロック図である。図３に示されるように、無線通信システム中の通信装置３００が用いられて、図１のＵＥ(または、ＡＴ)１１６と１２２を実現し、無線通信システムは、好ましくは、ＬＴＥシステムである。通信装置３００は、入力装置３０２、出力装置３０４、制御回路３０６、中央処理ユニット(ＣＰＵ)３０８、メモリ３１０、プログラムコード３１２、および、トランシーバ３１４を備える。制御回路３０６は、ＣＰＵ３０８により、メモリ３１０中のプログラムコード３１２を実行し、これにより、通信装置３００の操作を制御する。通信装置３００は、入力装置３０２、たとえば、キーボードかキーパッドにより、ユーザーにより入力される信号を受信し、出力装置３０４、たとえば、モニターやスピーカーにより、イメージと音声を出力することができる。トランシーバ３１４が用いられて、無線信号を送受信し、受信した信号を制御回路３０６に送信し、制御回路３０６により生成された信号を無線方式で出力する。
【００２４】
図４は、本発明の実施態様による図３に示されるプログラムコード３１２の簡潔なブロック図である。この実施態様において、プログラムコード３１２は、応用層４００、第三層部分４０２、および、第二層部分４０４を備え、且つ、第一層部分４０６に結合される。「層」は「レイヤ」等と言及されてもよい。第三層部分４０２は、通常、無線リソース制御を実行する。第二層部分４０４は、通常、リンク制御を実行する。第一層部分４０６は、通常、物理接続を実行する。
【００２５】
ＬＴＥ、または、ＬＴＥ-Ａシステムにおいて、第二層部分は、無線リンク制御(Radio  Link  Control、ＲＬＣ)層と媒体アクセス制御(Medium  Access  Control(ＭＡＣ)層を含む。第三層部分は無線リソース制御(ＲＲＣ)層を含む。
【００２６】
一般に、キャリアアグリゲーション(ＣＡ)は、LTE-Advanced(ＬＴＥ-Ａ)において、広いハンド幅をサポートする特徴である。その能力に基づいて、端末は、同時に、ひとつ、または、それ以上のコンポーネントキャリアで、送受信を実行する。
【００２７】
プライマリサービングセル(PCell)に加え、RRC_CONNECTEDモードのＵＥは、別のセカンダリサービングセル(SCell)を設定する。PCellは、常に起動している（アクティブ化されている）と認識され、同時に、ＭＡＣ制御要素(ＣＥ)の起動／解除が、SCellの起動と解除に用いられる(3GPP  TS  36.321  V11.2.0中で討論される)。SCellに対応するsCellDeactivationTimerは、また、SCell状態維持のために用いられる。たとえば、sCellDeactivationTimerが期限切れのとき、対応するSCellは、非明示的に、解除されたと認識する。3GPP  TS  36.331  V11.3.0で討論されるように、設定された SCellは、ダウンリンク(ＤＬ)リソースだけ(たとえば、ＤＬ  ＣＣ)、または、ＤＬリソースとアップリンク(ＵＬ)リソース(たとえば、ＤＬコンポーネントキャリア(ＣＣ)とＵＬ  ＣＣ)を含む。
【００２８】
さらに、3GPP  RP-122032は、release-12の物理層方面のスモールセル増強に対する新しい研究項目である。3GPP  RP-122032 が記述する研究項目の目的は以下のようである:
4      目標
この研究の目標は、スモールセル配備の増強サポートと操作のプロトコルと機構における潜在技術を確定することで、TR  36.932で定義される状況と需要を満たす必要がある。
この研究は以下の態様で導入される:
●異なる、または、同じキャリアにより供されるマクロとスモールセル層との二重接続性を有するＵＥの長所、および、このような二重接続性が実現可能で、有益であることを確定、および、評価する。
●TR  36.932の状況、特に、二重接続性の実現可能下の潜在機構とプロトコル増強を識別、および、評価し、および、実現可能な場合、コアネットワークの影響を最小化し:
−  制御とユーザープレーン、および、それらの互いの関係の全体構造、たとえば、異なるノード中、サポートＣ-プレーンとＵ-プレーン、異なるプロトコル層終了箇所等を含む。
●スモールセル配備の全体的な無線リソース管理構造と移動増強の必要性を識別、および、評価する:
−  ノード間ＵＥ背景転移とコアネットワーク向けのシグナリングを最小化する移動メカニズム。
−  ＵＥ電池消耗増加の最小化の測定、および、セル識別増強。
各潜在的増強、ゲイン、複雑度、および、規格影響に対し評価を実行する。
この研究は、別のSI/WIに含まれない潜在的増強に注目する。
【００２９】
3GPP  MAC  規格 (3GPP  TS  36.321  V.11.2.0)は、パワーヘッドルームレポート工程を開示し、以下のように引用される:
5.4.6        パワーヘッドルームレポート
パワーヘッドルームレポート工程が用いられて、サービングｅＮＢに、各起動されたサービングセルのＵＬ-ＳＣＨ送信中、公称ＵＥ最大送信電力と推定電力間の差に関する情報、および、PCellのＵＬ-ＳＣＨとＰＵＣＣＨ送信中、公称ＵＥ最大電力と推定電力間の差に関する情報を提供する。
パワーヘッドルームの報告周期、遅延、および、マッピングが[9]の従属節9.1.8で定義される。ＲＲＣは、二個のタイマーperiodicPHR-TimerとprohibitPHR-Timerを設置する、および、電力管理(P-MPRc[10]により許可される)のため、測定されたダウンリンクパスロスと要求される電力バックオフにおける変化を設定するdl-PathlossChangeをシグナリングすることにより、パワーヘッドルームレポートを制御し、ＰＨＲ[8]をトリガーする。
以下のいずれかが発生する場合、パワーヘッドルームレポート(ＰＨＲ)がトリガーされる:
−  ＵＥが、新しい送信のＵＬリソースを有するとき、ＰＨＲの最後の送信後、prohibitPHR-Timerが期限切れになる、または、既に期限切れであり、および、パスロス参照として用いられる少なくともひとつの起動されたサービングセルのdl-PathlossChange  dBより、パスロスが変化している;
−  periodicPHR-Timer期限切れ;
−  上層[8]により、パワーヘッドルームレポート機能性の設定、または、再設定後、機能を無効にするのに用いられない;
−  設定されたアップリンクを有するSCellの起動。
−  ＵＥが、新しい送信のＵＬリソースを有する時、設定されたアップリンクを有する任意の起動したサービングセルに対し、prohibitPHR-Timer が期限切れになる、または、既に期限切れであり、以下、このＴＴＩ中では真(true)である:
−  ＵＥが、このセル中に、送信に割り当てられるＵＬリソース、または、ＰＵＣＣＨ送信を有するとき、ＰＨＲの最後の送信後、送信に割り当てられるＵＬリソースがある、または、このセル中、ＰＵＣＣＨ送信があり、および、このセルの電力管理 (P-MPRc  [10]により許可される)のため、要求される電力バックオフは、dl-PathlossChange  dBより変化がある。
注:        電力管理のために、要求される電力バックオフが一時的に(たとえば、数十ミリ秒に達する)だけ減少する時、ＵＥは、ＰＨＲのトリガーを回避すべきであると共に、ＰＨＲがその他のトリガー条件によりトリガーされる時、一時的に、PCMAX,c/PHの値が減少するのを回避すべきである。
ＵＥが、このＴＴＩの新しい送信に割り当てられるＵＬリソースを有する場合:
−  最後のＭＡＣリセット後、それが、新しい送信に割り当てられる第一ＵＬリソースである場合、periodicPHR-Timerを開始する;
−  パワーヘッドルームレポート工程が、少なくともひとつのＰＨＲが既にトリガーされている、および、キャンセルされないと判断する場合;
−  ロジカルチャネル優先順序のため、extendedPHRが設定されない場合、割り当てられたＵＬリソースが、ＰＨＲ  ＭＡＣ制御素子とそのサブヘッダーを受け入れる、または、extendedPHRが設定される場合、拡張ＰＨＲ  ＭＡＣ制御素子とそのサブヘッダーを受け入れる:
−  extendedPHR が設定される場合:
−  設定されたアップリンクを有する各起動したサービングセルにとって:
−  タイプ１のパワーヘッドルームの値を得る;
−  このＴＴＩのこのサービングセルで、ＵＥが、送信に割り当てられるＵＬリソースがある場合:
−  物理層から、対応するPCMAX,cフィールドの値を得る;
−  simultaneousPUCCH-PUSCHが設定される場合:
−  PCellのタイプ２のパワーヘッドルームの値を得る;
−  ＵＥが、このＴＴＩで、ＰＵＣＣＨ送信を有する場合:
−  物理層から、対応するPCMAX,cフィールドの値を得る;
−  従属節6.1.3.6aで定義されるように、物理層により報告される値に基づいて、多重化(Multiplexing)と組み立て(Assembly)工程を指示して、拡張(Extended)ＰＨＲ  ＭＡＣ制御素子を生成、および、送信する;
−  その他:
−  物理層から、タイプ１のパワーヘッドルームの値を得る;
−  従属節6.1.3.6で定義されるように、物理層により報告される値に基づいて、多重化(Multiplexing)と組み立て(Assembly)工程を指示して、ＰＨＲ  ＭＡＣ制御素子を生成、および、送信する;
−  periodicPHR-Timerの開始、または、再開始;
−  prohibitPHR-Timerの開始、または、再開始;
−  トリガーされた全ＰＨＲをキャンセル
【００３０】
“無線通信システム中のスモールセル増強方法と装置(“the  ‘099  申請)と題される２０１３年１２月２３日に提出された米国特許第14/139,099は全体により組み込まれ、ＵＥが、マクロセルとスモールセルに対し、同時に、二重接続性を有する時、各種態様は、分割Ｃ-プレーンとＵ-プレーンデータだけでなく、ＭＡＣにより処理される分割制御情報、たとえば、バッファ状態報告(ＢＳＲ)、パワーヘッドルームレポート(ＰＨＲ)、または、スケジューリング要求(ＳＲ)に向けられる。
【００３１】
一新規態様において、‘099  申請は、ＰＨＲが少なくとも二個のカテゴリに区分されることを開示し、一ＰＨＲカテゴリはマクロセルで伝送され、一ＰＨＲカテゴリはスモールセルで伝送される。例えば、スモールセル(または、Ｕ-プレーンのサービングセル)、たとえば、パスロス変化のために、ＰＨＲの送信がトリガーされる場合、ＰＨＲは、スモールセル(または、Ｕ-プレーンに用いる)であるサービングセルのひとつで伝送されなければならない。これは、スモールセルのパスロス変化は、ＰＨＲ送信だけを、スモールセルを制御するスモールセルｅＮＢにトリガーすることを意味する。このほか、サービングセル中で送信されるＭＡＣ制御素子は、サービングセル(すなわち、同じｅＮＢにより制御される群)として、同じ群に属するサービングセルのパワーヘッドルームの状態だけを含む。つまり、スモールセルｅＮＢだけに送信されるＰＨＲは、このｅＮＢにより制御される全スモールセルのパワーヘッドルーム(ＰＨ)値を含む。したがって、二重接続性をサポートするパワーヘッドルームレポート工程が改善される。
【００３２】
開示される各種態様の討論を容易にするため、ＵＥは、マクロセルとスモールセルが設定されると仮定する。マクロセルはマスターｅＮＢ(ＭｅＮＢ)により制御され、スモールセルはセカンダリーｅＮＢ(ＳｅＮＢ)により制御される。注意すべきことは、このアプリケーションで開示される概念も、ＭｅＮＢの複数のセルとＳｅＮＢの複数のセルがＵＥに設定される状況に応用可能なことである。
【００３３】
各種態様において、サービングセルを、その制御下で、スケジュールするとき、ｅＮＢは、サービングセルのＰＨ値、および、別のｅＮＢにより制御されるサービングセルのＰＨ値を知る。よって、ｅＮＢは、ＵＥの総送信(ＴＸ)電力を推定することができる。総ＴＸ電力がＵＥの最大ＴＸ電力を超過する場合、ｅＮＢは、該当するサービングセルで、小さいアップリンクグラントをＵＥに割り当てる。よって、一ｅＮＢにより制御されるサービングセルのＰＨ値に加え、このｅＮＢに送信されるＰＨＲ  ＭＡＣ制御素子も、別のｅＮＢにより制御されるサービングセルのＰＨ値を含まなければならない。
【００３４】
上述のＰＨＲ  ＭＡＣ制御素子の内容において、対応するprohibitPHR-Timerが期限切れになる、または、既に期限切れであり、および、別のｅＮＢにより制御されるサービングセルのパスロス変化が閾値(たとえば、dl-PathlossChange)を超過する場合、ＰＨＲの同じｅＮＢへの最後の送信の後、ＵＥは、また、ＰＨＲ送信を一ｅＮＢにトリガーしなければならない。これは、該当するサービングセルの最新のＰＨ値を提供する。
【００３５】
開示される各種態様において、ＵＥは、別々のＰＨＲを別々のｅＮＢに伝送する。例えば、一ｅＮＢのＰＨＲは、別のｅＮＢにより制御されるサービングセルのＰＨ値も含まなければならず、一ｅＮＢにより制御されるサービングセルのパスロス変化は、別のｅＮＢのＰＨＲもトリガーすることができる。よって、図５に示されるように、ＰＨＲ報告の内容とＰＨＲトリガーの候補に関して、二ｅＮＢのＰＨＲ工程は完全に分割されるわけではない。
【００３６】
LTE  Rel-11において、５種のＰＨＲトリガーが開示される:パスロス変化、periodicPHR-Timer  期限切れ、ＰＨＲ設定、または、再設定後、設定されたアップリンクを有するサービングセルの起動、および、必要な電力バックオフ変化、である。
【００３７】
二重接続性のＰＨＲ設定に関して開示される各種態様において、二個の可能なオプション:一ＰＨＲ設定と二個の分離したＰＨＲ設定、がある。この二種のオプション中、ＵＥは、二組のperiodicPHR-TimerとprohibitPHR-Timerを維持しなければならず、各一組は、ＰＨＲ報告を各ｅＮＢに報告する。二個のＰＨＲ設定が用いられる場合、ＰＨＲは、該当するＰＨＲ設定に関連するｅＮＢに対してだけトリガーされる。
【００３８】
開示される各種態様において、このサービングセルのＰＨ値が両ｅＮＢに知られていなければならないので、設定されたアップリンクを有する第三サービングセルの起動時、ＰＨＲは好ましくは、各ｅＮＢに対しトリガーされなければならない。
【００３９】
さらに、開示される各種態様において、パスロス変化のケースと同様に、ＰＨＲの同じｅＮＢへの最後の送信の後、対応するprohibitPHR-Timerが期限切れになる、または、既に期限切れである、および、別のｅＮＢにより制御されるサービングセルの要求される電力バックオフ変化がスレショルド又は閾値(たとえば、dl-PathlossChange)を超過する場合、ＵＥは、また、好ましくは、ＰＨＲの一ｅＮＢへの送信をトリガーしなければならない。
【００４０】
一新規態様において、無線通信システムにおけるパワーヘッドルームレポートの方法は、第一セルにより供されるＵＥを備え、第一セルは、第一進化型ＮｏｄｅＢ(ｅＮＢ)により制御される。ＵＥは、無線リソース制御(ＲＲＣ)メッセージを受信して、第二ｅＮＢにより制御される第二セルをＵＥに加える。ＵＥは、第一パワーヘッドルームレポート(ＰＨＲ)を第一ｅＮＢに、第二ＰＨＲを第二ｅＮＢに送信する。この方法にしたがうと、第一ＰＨＲと第二ＰＨＲ両方は、第一セルと第二セル両方のパワーヘッドルーム値を含む。
【００４１】
上述の方法の好ましい態様において、第二ＰＨＲの第二ｅＮＢへの最後の送信の後、第二セルのパスロス変化が第二閾値を超過している場合、ＵＥは、第一ＰＨＲの第一ｅＮＢへの送信をトリガーし、および、第一ＰＨＲの第一ｅＮＢへの最後の送信の後、第一セルのパスロス変化が第一閾値を超過している場合、第二ＰＨＲの第二ｅＮＢへの送信をトリガーする。好ましくは、第二ＰＨＲの第二ｅＮＢへの最後の送信の後、第二セルの要求される電力バックオフ変化が第二閾値を超過する場合、ＵＥは、第一ＰＨＲの第一ｅＮＢへの送信をトリガーし、および、第一ＰＨＲの第一ｅＮＢへの最後の送信の後、第一セルの要求される電力バックオフ変化が第一閾値を超過する場合、第二ＰＨＲの第二ｅＮＢへの送信をトリガーする。また、好ましくは、設定されたアップリンクを有する第三サービングセルがＵＥ中で起動される場合、ＵＥは、第一ＰＨＲの第一ｅＮＢへの送信、および、第二ＰＨＲの、第二ｅＮＢへの送信をトリガーする。さらに好ましくは、第一ｅＮＢに関連するＰＨＲ設定が設定される、または、再設定される時、ＵＥは、第一ＰＨＲの第一ｅＮＢへの送信をトリガーし、および、第二ｅＮＢに関連するＰＨＲ設定が設定、または、再設定される時、第二ＰＨＲの第二ｅＮＢへの送信をトリガーし、ｅＮＢごとに、一ＰＨＲ設定がある。さらに好ましくは、ＵＥは、二組のperiodicPHR-TimerとprohibitPHR-Timerを維持し、第一組は、ＰＨＲ報告を第一ｅＮＢに報告し、第二組はＰＨＲ報告を第二ｅＮＢに報告する。さらに、好ましくは、第一ｅＮＢに関連するperiodicPHR-Timerが期限切れになる時、ＵＥは、第一ＰＨＲの第一ｅＮＢへの送信をトリガーし、および、第二ｅＮＢに関連するperiodicPHR-Timerが期限切れであるとき、第二ＰＨＲの第二ｅＮＢへの送信をトリガーする。また、好ましくは、ＰＨＲがこのｅＮＢに伝送される時、ＵＥは、第一ｅＮＢと第二ｅＮＢのひとつに関連するperiodicPHR-TimerとprohibitPHR-Timerを開始、または、再開始する。好ましくは、ＰＨＲがこのｅＮＢに送信される時、ＵＥは、第一ｅＮＢと第二ｅＮＢのひとつに関連するトリガーされたすべてのＰＨＲをキャンセルする。好ましくは、第二セルが起動される。好ましくは、Activation/Deactivation(ＭＡＣ)制御素子を受信して、第二セルを起動する時、ＵＥは、第二セルを起動する。好ましくは、Activation/Deactivation  ＭＡＣ制御素子を受信して、第二セルを非アクティブ化（デアクティベート）される時、または、第二セルに対応するsCellDeactivationTimerが期限切れになる時、ＵＥは、第二セルを非アクティブ化させる。
【００４２】
好ましくは、第二セルは、物理アップリンク共有チャネル(ＰＵＳＣＨ)が設置される。好ましくは、第二セルが起動される時、sCellDeactivationTimerが開始される。好ましくは、物理ダウンリンク制御チャネル(ＰＤＣＣＨ)が、第二セルのアップリンクグラント、または、ダウンリンク割り当てが受信されることを示す時、sCellDeactivationTimerが再スタートされる。好ましくは、第二セルが非アクティブ化される場合、ＵＥは、ＰＵＳＣＨで送信しない。好ましくは、パワーヘッドルームレベルは、起動したサービングセルで、ＰＵＳＣＨ送信の公称ＵＥ最大送信電力と推定電力間の差、または、起動したサービングセルで、ＰＵＳＣＨとＰＵＣＣＨ送信の公称ＵＥ最大電力と推定電力間の差を示す。好ましくは、第一セルはプライマリーサービングセル(PCell)、第二セルはセカンダリーサービングセル(SCell)である。好ましくは、ＲＲＣメッセージは、第一ｅＮＢから受信されるＲＲＣ接続再設定メッセージである。
【００４３】
別の態様において、無線通信システムにおけるパワーヘッドルームレポート(ＰＨＲ)を受信する方法は、ユーザー装置(ＵＥ)に供する第一セルを含み、第一セルは、第一進化型ＮｏｄｅＢ(ｅＮＢ)により制御される。第一ｅＮＢは、無線リソース制御(ＲＲＣ)メッセージを送信して、第二ｅＮＢにより制御される第二セルをＵＥに加える。第一ｅＮＢは、ＵＥから、第一パワーヘッドルームレポート(ＰＨＲ)を受信する。第二ｅＮＢは、ＵＥから、第二パワーヘッドルームレポート(ＰＨＲ)を受信する。この方法にしたがって、第一ＰＨＲと第二ＰＨＲ両方は、第一セルと第二セル両方のパワーヘッドルーム値を含む。
【００４４】
図３と図４に戻ると、装置３００は、メモリ３１０に保存されるプログラムコード３１２を含む。一新規態様において、ＣＰＵ３０８は、プログラムコード３１２を実行して、以下のひとつ以上を実行する:(i)コミュニケーションデバイスと第一進化型ＮｏｄｅＢ(ｅＮＢ)により制御される第一セルを接続する;(ii)無線リソース制御(ＲＲＣ)メッセージを受信して、第二ｅＮＢにより制御される第二セルをコミュニケーションデバイスに加える;(iii)第一パワーヘッドルームレポート(ＰＨＲ)を第一ｅＮＢに、第二ＰＨＲを第二ｅＮＢに送信し、第一ＰＨＲと第二ＰＨＲ両方は、第一セルと第二セル両方のパワーヘッドルーム値を含む。
【００４５】
別の態様において、ＣＰＵ３０８は、プログラムコード３１２を実行して、以下のひとつ以上を実行する:(i)第一進化型ＮｏｄｅＢ(ｅＮＢ)により制御される第一セルとユーザー装置(ＵＥ)を接続する;(ii)第一ｅＮＢにより、無線リソース制御(ＲＲＣ)メッセージを送信して、第二ｅＮＢにより制御される第二セルをＵＥに加える;(iii)第一ｅＮＢにより、ＵＥから第一パワーヘッドルームレポート(ＰＨＲ)を受信する;および、(iv)第二ｅＮＢにより、ＵＥから第二パワーヘッドルームレポート(ＰＨＲ)を受信し、第一ＰＨＲと第二ＰＨＲ両方は、第一セルと第二セル両方のパワーヘッドルーム値を含む。
【００４６】
このほか、ＣＰＵ３０８は、プログラムコード３１２を実行して、上述の動作とステップ、または、別の記述を実行する。
【００４７】
本発明の各種態様が以下で述べられる。この教示は様々な方式で具体化され、範例中で開示される特定の構造、機能は単なる代表的なものであることがわかる。教示に基づいて、当業者なら理解できるように、本文の内容は、独立してその他のある形式を利用する、または、各種方法を総合して実行される。たとえば、上述した説明中で開示される任意の方式は、ある装置、または、ある方式を用いて実現される。このほか、一装置の実施、または、一種の方式の実行は、その他の構造、または、機能性、または、構造と機能性により、上記説明で討論される一種、または、多種の形式上で実現される。例を挙げて以上の観点を説明すると、ある態様において、並列チャネルは、パルス繰り返し周波数に基づいて構築される。ある態様において、並列チャネルは、パルス位置、または、オフセットに基づいて構築される。ある態様において、並列チャネルは、時間ホッピングシーケンスに基づいて構築される。ある態様において、並列チャネルは、パルス繰り返し周波数、パルス位置、または、オフセット、および、時間ホッピングシーケンスに基づいて構築される。
【００４８】
当業者ならわかるように、情報と信号は、多種の異なる技巧と技術により表現される。たとえば、以上の描写の全てが引用するデータ、指令、命令、情報、信号、ビット、符号、および、チップは、電圧、電流、電磁波、磁場または粒子、光場または粒子、または、それらの組み合わせで表現される。
【００４９】
当業者ならわかるように、ここでは、各種説明性の論理ブロック、モジュール、プロセッサ、装置、回路、および、演算ステップと、開示される各種状況が使用可能な電子ハードウェア(たとえば、情報源符号化、または、その他の技術を用いて設計されるデジタル実施、アナログ実施、または、それらの組み合わせ)、各種形式のプログラム、または、命令を組み込んだ設計コード(便宜のため、“ソフトウェア”または“ソフトウェアモジュール”と称する)、または、それらの組み合わせを描写する。ハードウェアとソフトウェア間の互換性をはっきりと説明するため、各種説明のコンポーネンツ、ブロック、モジュール、回路、および、ステップは、それらの機能性を主に描写している。このような機能性が、ハードウェア、または、ソフトウェアとして実施されても、システム全体上に課される特定のアプリケーションと設計制約に基づく。当業者は、各特定のアプリケーションに対し、各種異なる方法で、記述された機能性を実行するが、実現される決断は、本発明の範囲を逸脱すると解釈されるべきではない。
【００５０】
このほか、各種説明の論理ブロック、モジュール、および、回路、および、ここで開示される各種状況は、集積回路(“ＩＣ”)、アクセス端末、または、アクセスポイントで実施、または、集積回路(“ＩＣ”)、アクセス端末、または、アクセスポイントにより実行される。ＩＣは、汎用プロセッサ、デジタル信号プロセッサ(ＤＳＰ)、特定用途向け集積回路(ＡＳＩＣ)、フィールドプログラマブルゲートアレイ(ＦＰＧＡ)、または、その他のプログラム可能な論理装置、離散ゲートまたはトランジスタロジック、離散ハードウェアコンポーネンツ、電子素子、光学素子、機械素子、または、それらの組み合わせの設計により、この文で描写される機能を実行し、ＩＣ内、ＩＣ外、または、両方に存在するコード、または、指令を実行する。汎用プロセッサはマイクロプロセッサであるが、別の方法では、プロセッサは、従来のプロセッサ、コントローラ、マイクロコントローラー、または、状態機械である。プロセッサは、計算装置の組み合わせ、たとえば、ＤＳＰとマイクロプロセッサの組み合わせ、複数のマイクロプロセッサ、ＤＳＰコアと連動するひとつ以上のマイクロプロセッサ、または、別のこのような配置として実施される。
【００５１】
ここで開示されるプロセスの特定順序、または、ステップの階層はサンプルアプローチの例である。設計の好みに基づいて、プロセスの特定順序、または、ステップの階層は、本発明の範囲内で再アレンジできることが理解できる。付随する方法は、例の順序で、各種ステップの素子を主張し、よって、示される特定順序、または、階層に限定されない。
【００５２】
本発明の明細書で開示される方法と演算法のステップは、直接、プロセッサにより実行されるハードウェア、および、ソフトウェアモジュール、または、両者の結合で実行される。ソフトウェアモジュール(たとえば、実行可能な指令と関連データを含む)と別のデータは、データメモリ、たとえば、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ-ＲＯＭ、または、既知のその他の形式の任意のコンピュータ読み取り可能ストレージ媒体中に存在する。サンプルストレージ媒体は、マシン、たとえば、コンピュータ/プロセッサ(便宜上、“プロセッサ”と称される)に結合され、プロセッサは、ストレージ媒体から情報(たとえば、コード)を読み取ったり、書き込んだりする。サンプルストレージ媒体は、プロセッサに整合される。プロセッサとストレージ媒体はＡＳＩＣに属する。ＡＳＩＣはユーザー装置に属する。別の方法では、プロセッサとストレージ媒体は、ユーザー装置中で、離散コンポーネンツとして存在する。さらに、ある態様において、適当なコンピュータプログラム製品は、ひとつ以上の本発明の態様に関連するコードを含むコンピュータ読み取り可能媒体を含む。ある態様において、コンピュータプログラム製品は、パッケージ材料を含む。
【００５３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００５４】
100  アクセスネットワーク
104、106、108、110、112、114  アンテナ
116  アクセスターミナル
118  逆方向リンク
120  送信リンク      
122  クセスターミナル
124  逆方向リンク
126  送信リンク
210  トランスミッタシステム
212  データソース
214  ＴＸデータプロセッサ
220  ＴＸ ＭＩＭＯプロセッサ
222a〜222t  トランスミッタ
224a〜224t  アンテナ
230  プロセッサ
232  メモリ
236  データソース
238  ＴＸデータプロセッサ
242  ＲＸデータプロセッサ
240  復調器
250  レシーバシステム
252a〜252rアンテナ
254a〜254r  レシーバ
260  ＲＸデータプロセッサ
270  プロセッサ
272  メモリ
280  変調器
300  通信装置
302  入力装置
304  出力装置
306  制御回路
308  中央処理ユニット
310  メモリ
312  プログラムコード
314  トランシーバ
400  アプリケーション層
402  第三層
404  第二層
406  第一層
【図１】
0005872641.tif 000002
【図２】
0005872641.tif 000003
【図３】
0005872641.tif 000004
【図４】
0005872641.tif 000005
【図５】
0005872641.tif 000006